(57)【特許請求の範囲】
【請求項１】
被取付部材に建具枠材を取り付ける建具枠材の取付構造であって、
前記被取付部材は、建具枠材に向かって上方に突出する突片を有し、
前記建具枠材は、最下面に水平面部を有し、この水平面部の見込み方向中間部には、前記突片で案内される傾斜部と、前記傾斜部に連続して設けられて前記突片が収容される突片収容部とを有する溝が形成され、
前記突片収容部は、枠見込み方向に離れて設けられて互いに対向する鉛直部と、鉛直部の上端間を結ぶ上端部とによって区画形成され、一方の鉛直部は前記傾斜部に連続して形成され、
前記溝を挟んで配置された前記水平面部の一方側は前記傾斜部の下端に連続して形成され、
前記水平面部の他方側の溝側端縁の枠見込み方向の位置は、前記突片収容部の傾斜部に連続していない鉛直部の枠見込み方向の位置と一致することを特徴とする建具枠材の取付構造。
【発明の詳細な説明】
【技術分野】
【０００１】
本発明は、建物躯体や浴室ユニットの床パンなどの被取付部材に建具枠材を取り付ける取付構造に関する。
【背景技術】
【０００２】
ドア枠や窓枠等の建具枠材と障子とを備える建具においては、建具枠材に対して障子をけんどん方式で組み込む場合がある。
例えば、引違い戸や引違い窓では、障子をけんどん方式で建具枠材内に組み込み、その障子の戸車を建具枠材の下枠に突設されたレール上に配置している（例えば特許文献１参照）。
【０００３】
【特許文献１】特開２００１−１８２４４７号公報
【発明の開示】
【発明が解決しようとする課題】
【０００４】
しかしながら、作業者が障子を持ち上げて建具枠材内にけんどん方式で組み込む際、作業者は直接戸車の位置を確認できない。このため、作業者は、建具枠材に対して障子を室内外方向に前後させることで、戸車がレール上に配置されるように位置合わせしなければならず、組み込み作業性があまり高くないという問題があった。
【０００５】
このような問題は、戸車を有する障子を建具枠材内に組み込む場合に限らず、例えば、レールを有する建具枠材を利用し、この建具枠材内に障子を固定してＦＩＸ窓を形成する場合にも、前記レールに対して障子を正しい位置に配置する必要があり、同様の問題があった。
さらに、建物躯体や浴室ユニットの床パン等の突片を有する被取付部材に、窓枠等の建具枠材を取り付ける場合も、被取付部材の突片に対して下枠等の建具枠材を正しい位置に配置する必要があり、同様の問題があった。
【０００６】
本発明の目的は、被取付部材に対して建具枠材を取り付ける際に、建具枠材の位置合わせを容易に行うことができる建具枠材の取付構造を提供することにある。
【課題を解決するための手段】
【００１４】
本発明の建具枠材の取付構造は、被取付部材に建具枠材を取り付ける建具枠材の取付構造であって、前記被取付部材は、建具枠材に向かって上方に突出する突片を有し、前記建具枠材は、最下面に水平面部を有し、この水平面部の見込み方向中間部には、前記突片で案内される傾斜部と、前記傾斜部に連続して設けられて前記突片が収容される突片収容部とを有する溝が形成され、前記突片収容部は、枠見込み方向に離れて設けられて互いに対向する鉛直部と、鉛直部の上端間を結ぶ上端部とによって区画形成され、一方の鉛直部は前記傾斜部に連続して形成され、前記溝を挟んで配置された前記水平面部の一方側は前記傾斜部の下端に連続して形成され、前記水平面部の他方側の溝側端縁の枠見込み方向の位置は、前記突片収容部の傾斜部に連続していない鉛直部の枠見込み方向の位置と一致することを特徴とする。
【００１５】
本発明では、建物躯体や床パンなどの被取付部材に建具枠材を取り付ける際に、被取付部材に対して建具枠材の位置がずれていても、突片に傾斜部が当接することで、建具枠材の位置が自動的に調整される。このため、建具枠材の位置合わせを容易に行うことができる。
【発明を実施するための最良の形態】
【００１７】
〔第１実施形態〕
本発明の第１実施形態に係る建具である引戸について説明する。
引戸は、建物開口内に設けられる建具枠材と、この建具枠材内に組み込まれる障子（可動障子）とを備えて構成される。
建具枠材は、上枠、下枠および左右の縦枠を四周枠組みして構成される。
障子は、上框、下框および左右の縦框を四周枠組みし、この枠内にパネル材を組み込んで構成される。
【００１８】
建具枠材の下枠１は、図１に示すように、上方に向かってつまり障子に向かって突設されたレール（突片）２を備えている。
【００１９】
障子は、図２に示すように、縦框３間に上框および下框４が架け渡されて枠組みされている。また、縦框３の下端の高さ位置は、下框４の下面の高さ位置と同じ位置とされている。
【００２０】
縦框３は、角筒状の中空本体部３１と、この中空本体部３１から障子内部側に突出された一対のパネル材支持片３２と、中空本体部３１から障子外部側（縦枠側）に突出された一対の突出片３３とを備えて形成されている。
中空本体部３１は、障子の見込み方向（室内外方向）に沿って配置された２つの鉛直な連結壁部３４，３５を備えている。
【００２１】
下框４は、角筒状の中空本体部４１と、この中空本体部４１から上方に突出された一対のパネル材支持片４２と、中空本体部４１から下方に突出された一対の突出片４３とを備えて形成されている。
中空本体部４１は、障子の見込み方向に沿って配置された３つの水平な連結壁部４４，４５，４６を備えている。
連結壁部４５には、ビスホール４７が一体に形成されている。
【００２２】
このように構成された縦框３および下框４は、下框４の端面を縦框３の連結壁部３５に当接させ、この連結壁部３５を介して前記ビスホール４７にビスをねじ込むことで接合されている。
なお、パネル材支持片３２の先端部は、ガスケットなどを保持するために内側に折り返されているが、下框４が設けられる縦框３の下端部においては折り返し部分は切り欠かれており、この切欠部を介してパネル材支持片３２内に下框４が挿入されている。
【００２３】
縦框３の下端部あるいは下框４の両端部近傍には、図1に示すように、戸車５を有する戸車ボックス６が取り付けられている。縦框３に戸車５を設ける場合には、縦框３の中空本体部３１に戸車ボックス６を配置して取り付ければよい。また、下框４に戸車５を設ける場合には、下框４の中空本体部４１に戸車ボックス６を配置して取り付ければよい。
【００２４】
縦框３の連結壁部３４における下端部には、図1，２に示すように、下方に開口する溝３６が形成されている。溝３６の上部側は矩形状に切り取られており、この部分を囲むコ字状の開口部分によって突片収容部３７が形成されている。
また、溝３６の下部側つまり突片収容部３７に連続する部分は下方に向かうにしたがって開口幅寸法が大きくなるように傾斜されており、この部分によって傾斜部３８が形成されている。
【００２５】
すなわち、連結壁部３４の下端部は、溝３６によって分離されて第１突出部３４１および第２突出部３４２が形成されている。
そして、前記傾斜部３８は、各突出部３４１，３４２の溝３６に面した端面にそれぞれ形成されている。すなわち、各傾斜部３８は、溝３６を挟んで障子の見込み方向に対向して形成されている。各傾斜部３８は、下方つまり溝３６の開口に向かうにしたがって互いに離れる向きに傾斜されている。従って、各傾斜部３８間に設けられる溝３６は、その幅寸法が下方に向かうにしたがって大きくされている。
但し、溝３６の下端開口幅寸法は、下框４の突出片４３間の寸法以下とされている。また、溝３６下端の開口位置つまり各傾斜部３８の下端の室内外方向（障子見込み方向）の位置は、突出片４３間あるいは突出片４３の互いに対向する端縁と一致する位置となるように形成されている。
【００２６】
突片収容部３７は、各突出部３４１，３４２の溝３６に面した端面において、前記傾斜部３８に連続して形成された鉛直部３７１と、鉛直部３７１の上端間を結ぶ上端部３７２とによって区画形成されている。
突片収容部３７は、その障子見込み方向の位置が、戸車５のレール案内部（突片案内部）５Ａの位置に合わせて、つまり戸車５の脱落防止フランジ５Ｂ間に位置するように形成されている。
また、突片収容部３７の上端の高さ位置は、前記戸車５のレール案内部５Ａの下端位置よりも上方に配置されている。これにより、戸車５は、突片収容部３７に配置されたレール２上に確実に配置されるように構成されている。
さらに、突片収容部３７の下端つまり各傾斜部３８の上端の高さ位置は、前記戸車５のレール案内部５Ａの下端位置よりも下方に配置されている。これにより、戸車５がレール２上に載置される前、レール２から所定距離上方に戸車５が配置されている状態でも、レール２に対する下框４や戸車５の室内外方向の位置は正しい位置に調整される。
【００２７】
なお、連結壁部３５の下端にも、連結壁部３４に形成された溝３６と同一あるいはその溝よりも開口エリアが大きな溝が形成され、レール２が傾斜部３８に案内されることを阻害しないように構成されている。
【００２８】
また、レール２の上端部２Ａは断面円弧状に形成され、傾斜部３８や突片収容部３７にレール２の上端部２Ａが当接した際に、接触面を小さくでき、摩擦抵抗が小さくなるように構成されている。
【００２９】
なお、図示しないが、上枠には障子の上框を案内するレールが設けられている。このレールによる案内構造は、例えば断面コ字状のレールなどを用いた公知の技術が利用できるため、説明を省略する。
【００３０】
このような本実施形態において、障子を建具枠材内に組み込むには、通常のけんどん式で組み込めばよい。
すなわち、障子の上框を上枠内に入れて障子を上方に持ち上げ、障子の下框４を下枠１の上方に配置する。次に、障子を下げて、レール２上に戸車５を配置する。
なお、障子を下げる際に、レール２と戸車５の室内外方向の位置がずれていても、図１（Ａ）に示すように、レール２をいずれかの傾斜部３８に当接させれば、障子を下げるにしたがって、傾斜部３８がレール２に案内されることで、障子の下框４は、レール２と戸車５の室内外方向の位置が一致する状態に自動的に調整される。従って、突片収容部３７に移動したレール２に戸車５が確実に載置され、障子を建具枠材に対して正しい位置に容易に配置される。
【００３１】
このような本実施形態によれば、以下のような効果がある。
（１）縦框３に傾斜部３８を形成し、この傾斜部３８間にレール２が案内される溝３６を設けたので、障子を建具枠材内に組み込む際に、下枠１に対する下框４の位置がずれていても、障子を下げるにしたがって自動的に下框４の位置を調整することができる。
このため、レール２上に戸車５を正確にかつ容易に配置でき、障子の取付作業を効率化できる。
【００３２】
（２）縦框３に傾斜部３８や突片収容部３７を形成したので、傾斜部３８や突片収容部３７を容易にかつ低コストで形成できる。
すなわち、下框４に傾斜部３８等を形成する場合、下框４を押出成形する金型自体を改良する必要があり、初期コストが嵩むことになる。
これに対し、本実施形態では、縦框３の連結壁部３４の下端を打ち抜き加工などを行うだけで傾斜部３８や突片収容部３７を形成でき、さらに下框４は一般的な形状のものを流用できるので、容易にかつ低コストで形成できる。
【００３３】
（３）縦框３に傾斜部３８や突片収容部３７を形成したので、特に、縦框３に戸車５を取り付けた場合には、縦框３を基準にして戸車５の取付位置と、傾斜部３８や突片収容部３７の加工位置とを設定すればよく、これらの位置合わせを精度良くかつ容易に行うことができる。その上、傾斜部３８や突片収容部３７と戸車５との距離が近いので、お互いの位置合わせをより一層精度良くできる。
【００３４】
（４）本実施形態では、溝３６を挟んで設けられる突出部３４１，３４２にそれぞれ傾斜部３８を設けたので、レール２に対して下框４が室内外のいずれの方向にずれていても、傾斜部３８がレール２に当接することで下框４の位置を容易に調整できる。
【００３５】
（５）突片収容部３７の下端を戸車５のレール案内部５Ａよりも下方に配置しているので、戸車５がレール２の上方にある状態で、下框４の室内外方向の位置をレール２に対して正しい位置に調整できる。このため、障子を下枠側に移動する際に、比較的早い段階で障子の室内外方向の位置を正しく調整でき、レール２が戸車５の脱落防止フランジ５Ｂにぶつかってしまうことも防止できる。さらに、建具枠材および障子間にシール材が配置されている場合も、そのシール材に無理な力が加わって破損してしまうおそれを低減でき、安定した水密・気密性能を保つこともできる。
【００３６】
（６）縦框３にレール２に案内される傾斜部３８や突片収容部３７を設けたので、レール２に対する下框４の位置を調整するための摺動片（摺動ブロック）を縦框３等に組み込む必要が無く、その分、建具の部品点数を少なくできる。
【００３７】
次に、本発明の第２実施形態について説明する。なお、以下に説明する各実施形態において、前述する各実施形態と同一または同様の構成要素には同一符号を付し、説明を省略または簡略する。
第２実施形態の建具は、図３に示すように、縦框３Ａ側ではなく下框４Ａ側に傾斜部３８および突片収容部３７を形成したものである。
【００３８】
すなわち、第２実施形態の下框４Ａは、中空本体部４１から下方に向かって突出された第１突出部４３１および第２突出部４３２が形成されている。
各突出部４３１，４３２は中空筒形状とされ、突出部４３１，４３２間に溝３６が形成されている。
【００３９】
突出部４３１，４３２の溝３６に面した側面部には傾斜部３８が形成され、この傾斜部３８に連続して突片収容部３７が形成されている。
すなわち、突片収容部３７は、突出部４３１，４３２において傾斜部３８に連続して設けられた鉛直部３７１と、この鉛直部３７１の上端間の連結壁部４６によって構成される上端部３７２とによって区画形成されている。
【００４０】
各傾斜部３８は、第１実施形態の傾斜部３８と同様に、下方に向かうにしたがって互いに離れる向きに形成されている。すなわち、各傾斜部３８間に設けられる溝３６は、その幅寸法が下方に向かうにしたがって大きくされている。
また、突片収容部３７の戸車５に対する位置関係（室内外方向位置および上端位置、下端位置）は、第１実施形態と同じであるため、説明を省略する。
【００４１】
一方、縦框３Ａの連結壁部３４の下端部は、矩形状に切り欠かれて、下方に開口した溝３４５が形成されている。この溝３４５の幅寸法（室内外方向の寸法）は、前記各傾斜部３８の下端部間の寸法つまり溝３６の下端開口幅寸法以上とされ、溝３４５の形成位置は溝３６の下端開口位置に合わせて形成され、レール２が傾斜部３８に案内されることを阻害しないように構成されている。
また、溝３４５の上端高さ位置は、前記第１実施形態の溝３６と同様に、戸車５のレール案内部５Ａ下端よりも高くされ、レール２が溝３４５の上端に当接することなく戸車５を案内できるようにされている。
なお、連結壁部３５の下端部も、溝３４５と同一あるいはそれ以上に大きな溝が形成され、レール２が傾斜部３８に案内されることを阻害しないように構成されている。
【００４２】
このような第２実施形態においても、けんどん方式で障子を建具枠材に組み込む際には、レール２に対して下框４Ａの傾斜部３８が当接して案内されることで、レール２と戸車５の室内外方向の位置が一致する状態に自動的に調整される。従って、突片収容部３７に移動したレール２に戸車５が確実に載置され、障子は建具枠材に対して正しい位置に容易に配置される。
【００４３】
このような第２実施形態によれば、前記第１実施形態の（１），（４），（５），（６）と同様の効果が得られる。
さらに、（７）前記第１実施形態では、縦框３に傾斜部３８や突片収容部３７を形成していたが、第２実施形態では、例えば、下框４Ａを押出成形する際に、前記突出部４３１，４３２を下框４Ａの全長に渡って形成できるため、レール２に当接する傾斜部３８の面積が大きくなり、レール２に加わる力を分散でき、障子の位置をスムーズに調整できる。
【００４４】
次に、本発明の第３実施形態について説明する。
第３実施形態の建具は、図４に示すように、下框４Ｂの各突出部４３１，４３２のうち、第２突出部４３２のみに傾斜部３８を設け、第1突出部４３１は鉛直部３７１のみを設けた点が第２実施形態と相違する。
さらに、この相違により、縦框３Ａの溝３４５の幅寸法および形成位置が第1突出部４３１の鉛直部３７１の下端と、第２突出部４３２の傾斜部３８の下端間の幅寸法および形成位置に合わせて設定されており、第２実施形態の溝３４５に比べて幅寸法が小さくされている点が第２実施形態と相違する。
【００４５】
このような第３実施形態においても、レール２に対して下框４Ｂの傾斜部３８が当接して案内されることで、レール２と戸車５の室内外方向の位置が一致する状態に自動的に調整される。
【００４６】
このような第３実施形態によれば、前記各実施形態の（１），（５），（６），（７）と同様の効果が得られる。
さらに、（８）傾斜部３８によるレール２に対する障子の調整量は、前記第１，２実施形態に比べて小さくなるが、その分、溝３６内にレール２が配置された際には、レール２に対する障子の位置ずれ量も小さくなるため、シール材に加わる力を軽減できる。
【００４７】
なお、本発明は、前記各実施形態に限定されるものではなく、本発明の目的を達成できる他の構成等を含み、以下に示すような変形等も本発明に含まれる。
例えば、第１実施形態のように、縦框３の連結壁部３４に傾斜部３８および突片収容部３７を設ける際に、各突出部３４１，３４２に傾斜部３８を設けるのではなく、前記第３実施形態と同様に、各突出部３４１，３４２のいずれか一方の突出部のみに傾斜部３８を設けてもよい。
なお、本変形例や第３実施形態のように、一方の突出部のみに傾斜部３８を設ける場合、溝３６の室外側あるいは室内側のいずれの突出部３４１，３４２に設けてもよいが、通常は、けんどん方式で障子を組み込む際に、障子の移動方向側の突出部３４２に設けることが取付作業性を向上できる点で好ましい。
【００４８】
さらに、傾斜部３８や突片収容部３７は、前記各実施形態のように、縦框３の下端や下框４Ａ，４Ｂに設ける場合に限らず、上枠のレールに案内される上框や縦框の上端部に設けてもよい。さらに、上枠および下枠の各レールに案内されるように、上下框の両方や、縦框の上下両端部に設けてもよい。上框や縦框上端部に設けておけば、例えばけんどん方式で障子を建具枠材に組み込む際に、上枠のレール２に対して上框や縦框を適切な位置に容易に調整でき、取付作業性を向上できる利点がある。さらに、上下框や縦框上下両端部に設ければ、取付作業性をより一層向上できる。
【００４９】
また、前記各実施形態では、障子の縦框３のみ、あるいは下框４Ａ，４Ｂのみに、傾斜部３８や突片収容部３７を形成していたが、縦框および下框の両方に、傾斜部３８や突片収容部３７を形成してもよい。
さらに、突片収容部３７の下端高さ位置は、戸車５のレール案内部５Ａの下端と同一の高さ位置に設けてもよい。
【００５０】
また、本発明は、障子が建具枠材のレールに沿って移動される引戸（片引き窓や引違い窓等）に限らず、障子が建具枠材内に移動不能に固定された固定窓（ＦＩＸ窓）等に利用することもできる。
すなわち、図５，６に示すように、建物開口に設けられる建具枠材の下枠１０１に、上方に向かってレール（突片）１０２を突設し、この下枠１０１に障子の下框１０４を取り付けるものでもよい。
【００５１】
このような固定窓を構成する建具においても、図５，６に示すように、縦框１０３側に傾斜部３８および突片収容部３７を形成してもよいし、図７に示すように、下框１０４側に傾斜部３８および突片収容部３７を形成し、縦框１０３に溝３４５を形成してもよい。
いずれの場合も、前記各実施形態と同じ作用効果を奏することができる。
【００５２】
さらに、本発明は、建物開口に設けられる建具に限らず、例えば、浴室ユニットの開口にガラスが嵌め込まれた固定窓や、引戸を取り付けて構成される建具に用いてもよい。すなわち、建具枠材となる防水パンに突片を形成し、障子となる固定窓や引戸（可動障子）の縦框や下框に傾斜部や突片収納部を形成し、これらの障子を前記防水パンに取り付けて建具を構成すればよい。
【００５３】
また、本発明は、建具枠材に障子を取り付ける場合に限らず、図８に示すように、浴室ユニットを構成する床パン２０１から突設された突片２０２に、浴室ドアのドア枠における下枠２１１を取り付ける取付構造に利用することもできる。
すなわち、建具枠材である下枠２１１には、前記実施形態や変形例と同様に突片収容部３７および傾斜部３８が形成されている。また、図８の下枠２１１には、引戸あるいは折れ戸の障子２２１を案内するレール２１２が形成されている。
【００５４】
そして、下枠２１１を床パン２０１に取り付ける際に、突片２０２に対する下枠２１１の位置がずれていても、傾斜部３８が突片２０２に当接して案内されることで、突片２０２に対して下枠２１１を正しい位置に容易に調整できる。
従って、本発明によれば、ドア枠や窓枠を浴室ユニットの床パンや建物躯体に取り付ける際に、下枠や上枠等の建具枠材を床パンや建物躯体などの突片が形成された被取付部材に正確にかつ容易に取り付けることができる。
【００５５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することがなければ、以上述べた実施形態に対し、形状、材質、数量、その他の詳細な構成は、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５６】
【図１】本発明の第１実施形態の建具の要部を示す断面図であり、（Ａ）は障子を設置中の状態を示す図、（Ｂ）は障子を設置した状態を示す図である。
【図２】第１実施形態の建具の要部を示す斜視図である。
【図３】第２実施形態の建具の要部を示す斜視図である。
【図４】第３実施形態の建具の要部を示す斜視図である。
【図５】本発明の変形例の要部を示す斜視図である。
【図６】本発明の変形例の要部を示す断面図であり、（Ａ），（Ｂ）は障子を設置中の状態を示す図、（Ｃ）は障子を設置した状態を示す図である。
【図７】本発明の他の変形例の要部を示す斜視図である。
【図８】本発明の他の変形例の要部を示す断面図である。
【符号の説明】
【００５７】
１，１０１…下枠、２，１０２…レール（突片）、３，３Ａ，１０３…縦框、４，４Ａ，４Ｂ，１０４…下框、５…戸車、５Ａ…レール案内部、３４，３５…連結壁部、３６…溝、３７…突片収容部、３８…傾斜部、２０１…被取付部材である床パン、２０２…突片、２１１…下枠、３４１，４３１…第1突出部、３４２，４３２…第２突出部、３４５…溝、３７１…鉛直部、３７２…上端部。
【図１】
0004749883.tif 000002
【図２】
0004749883.tif 000003
【図３】
0004749883.tif 000004
【図４】
0004749883.tif 000005
【図５】
0004749883.tif 000006
【図６】
0004749883.tif 000007
【図７】
0004749883.tif 000008
【図８】
0004749883.tif 000009